(57)【特許請求の範囲】
【請求項１】
ベース部と、このベース部の上部に設けられる胴体部と、この胴体部の上方に位置するヘッド部と、このヘッド部の前方に配置され、このヘッド部により支持される発熱部とを備え、前記発熱部は、ハロゲンヒーター、及び、このヒーターにより発生される熱を前方に向けて反射する反射面とを備え、前記発熱部の最前部には、前記ヒーターと前記反射面とを保護する保護カバーが備えられており、前記保護カバーの外表面に、防眩効果を有する色に着色された植毛を施してある扇風機型暖房装置であって、
前記反射面の中央部には、前方に向けて突出した形態で、円筒状支持部材が取り付けられ、かつ、この円筒状支持部材の前方側において、ヒーターが支持されるように構成され、さらに、前記円筒状支持部材の後方側には、放熱用の小孔が円周方向に沿って多数形成されていることを特徴とする扇風機型暖房装置。
【請求項２】
前記ヒーターの前面かつ前記保護カバーの後面側に設けられ、ヒーターからの発熱が直接前方に放射されることを防止する放熱阻止カバーを備え、前記保護カバーの、前記放熱阻止カバーと向かい合う中央領域には、植毛を施さないように構成したことを特徴とする請求項１に記載の扇風機型暖房装置。
【請求項３】
前記ヒーターは、円弧状部分と、円弧状部分の両端部から延設した直線状部分を有する線状ヒーターに構成され、前記円弧状部分及び前記直線状部分に、ヒーターを支持する支持用金具を設け、この支持用金具を前記放熱阻止カバーの裏面側に固定することで、ヒーターを放熱阻止カバーに取り付けたことを特徴とする請求項１又は２に記載の扇風機型暖房装置。
【請求項４】
前記円筒状支持部材の前記前方側の外周部分に、前記支持用金具が嵌まり込むように構成され、これにより、円筒状支持部材の前方側において、前記ヒーターが支持されることを特徴とする請求項３に記載の扇風機型暖房装置。
【請求項５】
前記円筒状支持部材の軸方向に沿って、その内部を貫通するように設けられた固定軸部材を備え、この固定軸部材の前方側端部は、前記放熱阻止カバーに対して固定され、後方側端部は、前記ヘッド部に取り付けられた台板に対して固定されることを特徴とする請求項１〜４のいずれか１項に記載の扇風機型暖房装置。
【請求項６】
前記円筒状支持部材は、プレスにより成形した平板部材を円筒状に丸めることにより形成されることを特徴とする請求項１〜５のいずれか１項に記載の扇風機型暖房装置。
【発明の詳細な説明】
【０００１】
【発明の属する技術分野】
本発明は、ベース部と、このベース部の上部に設けられる胴体部と、この胴体部の上方に位置するヘッド部と、このヘッド部の前方に配置され、このヘッド部により支持される発熱部とを備えた扇風機型暖房装置に関する。
【０００２】
【従来の技術】
室内用の暖房装置としては、ストーブやガスファンヒータのような液体燃料や気体燃料を使用するものが知られている。これらは、燃料を燃焼させることにより熱を発生させ、室内温度を暖かくしようとするものである。しかし、これら燃料を使用する暖房装置は、燃焼ガスの発生に伴い室内の空気が濁るため、窓を開けて換気をしなければならない。従って、居住者にとっては換気をするための手間が必要であり面倒である。また、換気を行うことは熱の損失を招くものであり、効率が悪く燃料コストも上昇することになる。
【０００３】
これに対して、扇風機型の暖房装置が知られており、例えば、実用新案登録第３０７８５３９号に開示される暖房装置がある。この暖房装置は、外観を扇風機に似せてあり、持ち運びが容易で扱いやすいという利点がある。上記暖房装置は、扇風機と同様に、ベース部と、このベース部の上部に設けられる胴体部と、この胴体部の上方に位置するヘッド部とを備えている。扇風機の場合は、このヘッド部の前方に羽根を有する送風部が配置されるが、暖房装置の場合は、送風部ではなく発熱部が配置される。
そしてこの発熱部は、ハロゲンヒーターと、このヒーターにより発生される熱を前方に向けて反射する反射板と、発熱部の最前面に設けられ、ヒーターと反射板とを保護する安全網（保護カバー）とを備えている。保護カバーは、扇風機の場合も羽根に触らないようにするため設けられるが、暖房装置の場合も、ヒーターや反射板に触らないようにするため設けられる。
【発明が解決しようとする課題】
しかしながら、扇風機の場合とは異なり、暖房装置の場合は保護カバー自身がヒーターにより加熱される。また、保護カバーは所望の強度を確保するために、金属で製造されることが多い。金属の熱伝導性が良好であるため、保護カバーに触れると火傷の怖れがある。従って、暖房装置の使用者が保護カバーに触れることにより火傷をしないような工夫が必要である。
さらに、ヒーターとしてハロゲンヒーターを用いる場合、使用者が反射面により反射される光を眩しく感じることがある。そこで、使用者が眩しく感じることがないような対処が望まれる。
【０００４】
本発明は上記実情に鑑みてなされたものであり、その課題は、使用者が保護カバーに触れても火傷をすることがなく、かつ、使用者が使用中に眩しさを感じることのない扇風機型暖房装置を提供することである。
【課題を解決するための手段】
上記課題を解決するため本発明に係る扇風機型暖房装置は、ベース部と、このベース部の上部に設けられる胴体部と、この胴体部の上方に位置するヘッド部と、このヘッド部の前方に配置され、このヘッド部により支持される発熱部とを備え、前記発熱部は、ハロゲンヒーター、及び、このヒーターにより発生される熱を前方に向けて反射する反射面とを備え、前記発熱部の最前部には、前記ヒーターと前記反射面とを保護する保護カバーが備えられており、前記保護カバーの外表面に、防眩効果を有する色に着色された植毛を施してあることを特徴とするものであって、前記反射面の中央部には、前方に向けて突出した形態で、円筒状支持部材が取り付けられ、かつ、この円筒状支持部材の前方側において、ヒーターが支持されるように構成され、さらに、前記円筒状支持部材の後方側には、放熱用の小孔が円周方向に沿って多数形成されていることを特徴とする。
この構成による扇風機型暖房装置は、ヒーターや反射機構を保護する保護カバーの外表面に植毛を施してある。植毛として使用される素材は、熱伝導率が金属に比べて低いものが使用される。従って、使用者が保護カバーに触れたとしても、火傷をしてしまうという心配が全くない。のみならず、植毛は、無光沢で防眩効果を有する色に着色されている（眩しくない） ため、室内に配置しても違和感がない。その結果、本発明の課題を解決することのできる扇風機型暖房装置を提供することができる。
【０００５】
本発明の好適な実施形態として、  前記ヒーターの前面かつ前記保護カバーの後面側に設けられ、ヒーターからの発熱が直接前方に放射されることを防止する放熱阻止カバーを備え、
前記保護カバーの、前記放熱阻止カバーと向かい合う中央領域には、植毛を施さないように構成したものがあげられる。
【０００６】
ヒーターからの発熱が直接前方に放射されると、使用者はかなり眩しく感じることがある。放熱阻止カバーを設けることで、発熱の前方への放射を防止することができる。また、保護カバーに植毛をする場合に、保護カバーの全領域に植毛をする必要はない。放熱阻止カバーと向かい合う中央領域は、放熱がされないので、植毛する必要はない。これにより、植毛の量を減らすことができる。
【０００８】
反射面の中央部に円筒状支持部材を取り付け、  その前方側にヒーターを支持する。すなわち、  反射面とヒーターを距離をおいて配置する。これにより、ヒーターからの放熱を反射面の全面にわたって反射させることができる。また、円筒状支持部材の後方側には、放熱用の小孔が円周方向に沿って多数形成されるので、円筒状支持部材の内部の蓄熱を防止することができる。
【０００９】
本発明の更に別の好適な実施形態として、  前記ヒーターは、円弧状部分と、円弧状部分の両端部から延設した直線状部分を有する線状ヒーターに構成され、前記円弧状部分及び前記直線状部分に、ヒーターを支持する支持用金具を設け、この支持用金具を前記放熱阻止カバーの裏面側に固定することで、ヒーターを放熱阻止カバーに取り付けたものがあげられる。
【００１０】
ヒーターを線状に形成し、このヒーターを支持用金具を介して放熱阻止カバーに取り付けることで、確実にヒーターを固定することができる。
【００１１】
本発明の更に別の好適な実施形態として、  前記円筒状支持部材の前記前方側の外周部分に、前記支持用金具が嵌まり込むように構成され、これにより、円筒状支持部材の前方側において、前記ヒーターが支持されるものがあげられる。
【００１２】
かかる構成により、支持用金具の複数を円筒状支持部材の前方側の外周部分に位置させることができる。これにより、ヒーターを円筒状支持部材の前方側に確実に支持することができる。
【００１３】
本発明の更に別の好適な実施形態として、  前記円筒状支持部材の軸方向に沿って、その内部を貫通するように設けられた固定軸部材を備え、
この固定軸部材の前方側端部は、前記放熱阻止カバーに対して固定され、後方側端部は、前記ヘッド部に取り付けられた台板に対して固定されるものがあげられる。
【００１４】
ヒーターは放熱阻止カバーに対して取り付けられ、かつ、円筒状支持部材の前方側に支持されているが、ヒーター自身を扇風機型暖房装置の本体に対して固定する必要がある。そこで、固定軸部材を用いて、固定軸部材の前方側を放熱阻止カバーに対して固定し、後方側をヘッド部に取り付けられた台板に固定する。これにより、ヒーターは、支持用金具、放熱阻止カバー、固定軸部材により、確実に本体に対して固定される。
【００１５】
本発明の更に別の好適な実施形態として、  前記円筒状支持部材は、プレスにより成形した平板部材を円筒状に丸めることにより形成されるものがあげられる。
【００１６】
円筒状支持部材は、円筒状に形成されるものであるが、かかる形状を形作るため、プレスにより成形した平板部材を円筒状に丸めることで、容易に円筒状とすることができる。
【００１７】
【発明の実施の形態】
本発明に係る扇風機型暖房装置の好適な実施形態を図面を用いて説明する。図１は、扇風機型暖房装置の正面から見た外観斜視図であり、図２は、側面から見た外観斜視図である。
【００１８】
この暖房装置は、ベース部１と、ベース部１の上部に設けられる胴体部２と、この胴体部２の上部に設けられるネック部６と、このネック部６の上部に設けられるヘッド部５（胴体部２の上方に位置する。  ）と、ヘッド部５の前方に設けられる発熱部とを備えている。
【００１９】
ベース部１は、室内の床面上に設置される部分であり、広い平面部を有する。ベース部１には、操作つまみ７が設けられ、「切」「入」「入（首振り）」のいずれかに設定することができる。
【００２０】
胴体部２は、上下方向に伸びる細長形状をしており、固定部２ａと、伸長部２ｂとを有する。  固定部２ａは、ベース部１に対して固定されている。伸長部２ｂは、固定部２ａに対して相対的に上下動できるようになっており、発熱部の高さを調整できるようにしている。また、胴体部２の内部は、配線を通すために中空に形成されている。
【００２１】
ネック部６は、伸長部２ｂに対してヒンジ機構により取り付けられており、発熱部を上下方向（鉛直面内）に首振りできるようにしている。すなわち、  発熱部を上、水平、下の方向に向けたりして調整できるようにしている。
【００２２】
ヘッド部５の内部には、左右方向の首振り機構や、発熱部の支持機構等が内蔵されている。以上の、ベース部１、胴体部２、ネック部６、ヘッド部５の構成は、扇風機と同様の構成を備えている。
【００２３】
発熱部は、反射面支持部４と、この反射面支持部４の前面に取り付けられる保護カバー３とを備えている。これら反射面支持部４と保護カバー３とは、正面から見ると円形に形成されている。
【００２４】
次に、発熱部の詳細について説明する。図３は、発熱部の詳細を示す分解斜視図であり、図４は、発熱部及びヘッド部５の内部構造を示す側断面図である。図５は、ヒーターの取り付け構造の詳細を示す図、図６は、ヒーターを支持する支持円筒４２を示す図である。
【００２５】
反射面支持部４の前面には、反射機構を構成する反射板４０が取り付けられている。反射板４０は、アルミで形成された反射面４０ｂと、保護カバー３を反射面支持部４に取り付けるための取り付け孔４０ａが形成されている。反射面４０ｂは、熱を効率よく前方に反射するために、所定の凹面に形成されている。なお、反射面支持部４は、合成樹脂により形成される。また、手で持ち運びするためのつかみ部４ａも一体形成されている。
【００２６】
保護カバー３は、中央に位置する円板３１と、この円板３１の中心から放射状に多数形成されるスポーク部３２と、最外周に位置するリング部３０とから構成される。これらの各部品は公知の手法により結合される。保護カバー３は、扇風機の場合と同様に、内部の機構に手が触れないようにするために設けられる。また、保護カバー３を構成する部品のうち、リング部３０とスポーク部３２とは、外表面に静電植毛が施される。リング部３０とスポーク部３２は、心材は金属で形成される。これは、所望の強度を確保するためである。ただし、反射面４０ｂにより反射された熱により、保護カバー３が加熱されるため、この保護カバー３に触れた場合に手が熱く感じたり、火傷をしたりする恐れがある。そこで、心材としては金属であるが外表面に静電植毛を施すことで、手で触れたとしても問題がないようにしている。
【００２７】
また、植毛は光沢がなく、防眩効果を有する色に着色される。これにより、使用者に眩しさを感じさせなくてすむ。色としては、黒、濃灰、茶、こげ茶、青、群青、紫等があげられる。
【００２８】
この植毛は、短繊維（パイル）により形成される。短繊維としては、例えば、綿、６ナイロン、６６ナイロン、ポリエステル等が素材として利用される。また、短繊維は防眩効果を有する色に染色することができる。このような素材は、金属に比べると熱伝導率がかなり低い。従って、暖房装置を使用中であっても、それほど熱くならないため手で触れたとしても問題はない。
【００２９】
なお、保護カバー３のうちの中央部の円板３１（保護カバーの中央領域に相当）  については、植毛を施さなくても良い。この部分は後述するヒーター保護カバー４１が配置される関係上、熱が通過しない位置であるからである。これにより、必要以上に植毛を施さなくてすむ。もちろん、念のためにこの円板３１についても静電植毛を施すようにしても良い。
【００３０】
図３、図４に示すように、ヒーター保護カバー４１（放熱阻止カバーに相当）  の後面には２本の結合用ボルト４５  （固定軸部材に相当）  が取り付け固定される。また、円板３１の後面に対向する位置にヒーター保護カバー４１が設けられ、その内部にハロゲンヒーター４３が設けられる。ヒーター保護カバー４１の内面（後面）には反射機構として機能する反射面４１ｅとして形成されており、ハロゲンヒーター４３が発生する熱（光による熱）を反射板４０の方向に向けて反射させる。つまり、ハロゲンヒーター４３により発生した熱は、直接反射面４０ｂにより前方に反射されるものの他、  ヒーター保護カバー４１の反射面４１ａによりまず後方に反射され、さらに、反射面４０ｂにより前方に反射されるものも含まれることになる。
【００３１】
ヒーター保護カバー４１を反射板４０に対して固定するために、支持円筒４２（円筒状支持部材に相当）  が設けられている。支持円筒４２と、反射板４０及びヒーター保護カバー４１との結合は、はめ込みやカシメ等の適宜の方法により行うことができる。図４に示すように、支持円筒４２の内部は中空であり、結合用ボルト４５を配置させたり、ハロゲンヒーター４３のコード線４４を通すための空間として利用される。また、支持円筒４２の外周にはいくつかの小孔４２ａが形成されており、内部に熱が蓄積されないようにしている。小孔４２ａは、支持円筒４２の円筒軸方向における後方側に、円周方向に沿って多数形成されている。また、小孔４２ａは、軸方向に沿った長孔形状の孔に形成されている。
【００３２】
保護カバー３を反射面支持部４に結合するために、押さえ金具７が設けられる。押さえ金具７により保護カバー３を反射面支持部４に対して押さえつけ、ねじ８により締結する。なお、反射板４０の外周部には、ねじ８が貫通するための孔４０ａが形成されている。図３では、押さえ金具７は１つしか図示されていないが、実際は複数用いられる。
【００３３】
ヘッド部５の内部には、首振り用のモータ５０と、取り付け用の台板５２と、首振り機構５３が設けられる。さきほどの結合用ボルト４５は、取り付け用の台板５２に対してナット４６により結合される。これにより、発熱部はヘッド部５により支持される。また、反射面支持部４も台板５２に対してねじにより固定されている。首振り機構５３は公知の機構であり詳細は省略する。この首振り機構５３により、発熱部を水平面内で首振りさせることができる。ヘッド部５の内部構造は、カバー部材５４により保護されている。
【００３４】
ハロゲンヒーター４３のコード線４４と、モータ５０のコード線５１は、ともに胴体部２の中を通ってベース部１の内部に設けられた回路に接続される。
【００３５】
ベース部１の中には、商用電源と接続するためのコード線１１と電子回路１０が設けられている。電子回路１０は、操作つまみ９の操作に従い、ハロゲンヒーター４３やモータ５０を制御・駆動する。
【００３６】
＜発熱部の詳細構造＞
次に、図５、  図６により発熱部の詳細な構造を説明する。図５は、ヒーターの取り付け構造の詳細を示している。ハロゲンヒーター４３は、内部に電熱線４３ａが設けられており、電熱線４３ａの両端部に引出し線４３ｂが接続されている。ハロゲンヒーター４３は、線状ヒーターであり、円弧状部分４３ｃと、この円弧状部分４３ｃの両端部に延設された直線状部分４３ｄとを有する。
【００３７】
ハロゲンヒーター４３は、ヒーター保護カバー４１に取り付けられるが、その取り付けのために３つの支持用金具４９が用いられる。支持用金具４９は、略Ｚ形状を有し、ヒーター支持部４９ａはハロゲンヒーター４３の円弧状部分４３ｃに１箇所、直線状部分４３ｄに２箇所使用され、ハロゲンヒーター４３を抱えるように支持する。支持用金具４９の立壁部４９ｃは内壁面を有し、この内壁面は、円弧状部分４３ａの円中心の方向を向いている。この３つの内壁面は、支持円筒４２の先端側の外周に嵌合する嵌合部を構成する。また、支持用金具４９は、取り付け孔が形成された取り付け部４９ｂを有している。この取り付け部４９ｂに対応して、ヒーター保護カバー４１には、３箇所の取り付け孔４１ｃが形成される。支持用金具４９のヒーター保護カバー４１への取り付けは、ハトメピン２０により行われる。ハトメではなく、カシメで固定しても良い。支持用金具４９のヒーター支持部４９ａと取り付け部４９ｂは同じ方向の面（平行面）を有し、立壁部（内壁面）４９ｃは、これらに直交する。これにより、支持用金具４９の形状は略Ｚ形となっている。
【００３８】
先ほど説明した結合用ボルト４５は、前後方向に伸びた軸形状に形成される。結合用ボルト４５の前方側端部は、取り付け金具４７に固着される。結合用ボルト４５の後方側端部には、雌ねじ４５ａが形成されている。取り付け金具４７は、その両側に段差部４７ａが２ヶ所形成され、  この段差部４７ａに取り付け孔が形成される。この取り付け金具４７は、カシメピン４８により、ヒーター保護カバー４１に形成された取り付け孔４１ｄの位置に固定される。これにより、結合用ボルト４５の前方側は、ヒーター保護カバー４１に固定されることになる。そして、ヒーター保護カバー４１と、ハロゲンヒーター４３と、結合用ボルト４５とは、一体化されたユニットとなる。
【００３９】
図６は、支持円筒４２の構成を示す図である。（ａ）は組み立てた状態を示し、（ｂ）は展開した状態を示す。組み立てた状態で円筒状になるが、厳密な円筒である必要はなく、円錐台に形成されるもの（すなわち、  円筒状）でも良い。既に述べたように、支持円筒４２には、放熱用の小孔４２ａが多数形成されている。展開した状態では、プレス成形した平板部材として形成されている。（ｂ）に示す平板部材を丸めることで、（ａ）に示す円筒状になる。また、丸めた後も形状を維持する必要がある。そのため、丸めたときに突きあわせられる一方の端部に係合孔４２ｂが一体形成され、他方の端部に係合突起４２ｃが一体形成されている。そして、平板部材を丸めた後に、係合突起４２ｃを係合孔４２ｂに挿入することで、円筒状の形状を維持することができる。
【００４０】
次に、発熱部の組み立て手順について簡単に説明する。反射面支持部４に反射板４０を取り付け、さらに、反射面４０の中央に支持円筒４２を取り付ける。支持円筒４２を反射面４０に取り付けた後に、反射面支持部４にこれらユニットを取り付けてもよい。次に、ユニット化されたハロゲンヒーター４３、ヒーター保護カバー４１、結合用ボルト４５を支持円筒４２の前方側から挿入するように組み立てる。この時、支持円筒４２の前方側の外周部分に、支持用金具４９の立壁部４９ｃの内壁面（３箇所）が嵌合する。これにより、支持円筒４２の前方側にハロゲンヒーター４３が支持される。また、結合用ボルト４５の雌ねじ４５ａを台板５２の立壁部５２ａに形成された孔（２箇所）に挿入する。そして、雌ねじ４５ａにナット４６を螺合する。これにより、ヒーターユニットは、本体に対して固定されることになる。
【００４１】
＜植毛を施す装置の構成＞
図７は、保護カバー３に静電植毛を施すための装置を示す概念図である。保護カバー３は、吊り下げ用の治具６０により吊り下げられると共に、電気的にはアースされている。また、保護カバー３を挟むように両側に、パイル供給装置６４が設けられ、さらにその内部に電極６１が配置されている。また、電極６２は絶縁材で被覆されている。電極６１，６２は高電圧に印加されている。パイル供給装置６４により供給される短繊維（パイル）は、電極６１により帯電され、保護カバー３がアースされているため、短繊維は静電気の力により保護カバー３の方向に向かう。また、電極６２をさらに設けているため、相乗的に電界を強化する効果がある。これにより、短繊維の保護カバー３に対する吸引力を強化する。
【００４２】
なお、保護カバー３の表面にはあらかじめ接着剤が塗布されている。これにより、保護カバー３の表面に付着した短繊維は強固に接着される。接着剤としては、アクリル系、ウレタン系、エポキシ系等が好ましく用いられる。接着剤の塗布は、スプレーコート法、ディッピング法等の適宜の方法により行われる。
＜別実施形態＞
本実施形態に開示した構造はあくまでも一例であって、本発明がこれに限定されるものではない。
【図面の簡単な説明】
【図１】扇風機型暖房装置の正面から見た外観を示す斜視図
【図２】扇風機型暖房装置の側面から見た外観を示す斜視図
【図３】発熱部の詳細を示す分解斜視図
【図４】扇風機型暖房装置の側断面図
【図５】ヒーターの取り付け構造の詳細を示す図
【図６】ヒーターを支持する支持円筒を示す図
【図７】静電植毛装置を示す概念図
【符号の説明】
１      ベース部
２      胴体部
３      保護カバー
４      反射面支持部
５      ヘッド部
４０ｂ  反射面
４１    ヒーター保護カバー
４１ａ  反射面
４３    ハロゲンヒーター
【図１】
0003623215.tif 000002
【図２】
0003623215.tif 000003
【図３】
0003623215.tif 000004
【図４】
0003623215.tif 000005
【図５】
0003623215.tif 000006
【図６】
0003623215.tif 000007
【図７】
0003623215.tif 000008